(57)【要約】      （修正有）【課題】例え空打ちを行っても、芯線に損傷を与えるおそれがないケーブル接続工具を提供する。【解決手段】ケーブル接続工具１００は、ケーブルを挿通したスリーブ内に中ピンを圧入することにより、ケーブル同士の導通を図る工具である。ケーブル接続工具１００は、スリーブが配置されるスリーブ配置部１０と、中ピンが配置される中ピン配置部２０と、先端部３１が中ピンの後端部と接触する押込ピン３０と、押込ピン３０を前方に移動させることにより、中ピン配置部２０に配置された中ピンをスリーブ配置部１０に配置されたスリーブ内に押し込むピン押込機構４０とを備える。ピン押込機構４０により押込ピン３０を押し込んだとき、押込ピン３０の先端部３１と金属スリーブとの間に、ケーブルの芯線の直径以上の隙間が存在する。【選択図】図１
0003206473.tif 000002
【実用新案登録請求の範囲】
【請求項１】
複数本のケーブルを挿通した金属スリーブ内に中ピンを圧入することにより、ケーブル同士の導通を図るケーブル接続工具であって、
前記金属スリーブが配置されるスリーブ配置部と、前記中ピンが配置される中ピン配置部と、先端部が前記中ピンの後端部と接触する押込ピンと、前記押込ピンを前方に移動させることにより、前記中ピン配置部に配置された前記中ピンを前記スリーブ配置部に配置された前記金属スリーブ内に押し込むピン押込機構とを備え、
前記ピン押込機構により前記押込ピンを前方に移動させたとき、前記押込ピンの先端部と前記金属スリーブとの間に、前記ケーブルの芯線の直径以上の隙間が存在することを特徴とするケーブル接続工具。
【請求項２】
前記押込ピンの前記先端部は段差を有する形状であることを特徴とする請求項１に記載のケーブル接続工具。
【考案の詳細な説明】
【技術分野】
【０００１】
本考案は、通信ケーブルなどのケーブルを接続する工具に関する。
【背景技術】
【０００２】
従来から、通信ケーブルなどのケーブルを接続するケーブル接続工具として、金属スリーブ内に複数のケーブルを挿通した状態で、金属スリーブ内に中ピンを圧入して、ケーブルの芯線を接続するものが知られている。
【０００３】
このような工具を用いることにより、予め絶縁皮膜を除去することなく、且つ熟練した技量を要することなく、確実にケーブルの芯線を接続することができる。なお、中ピンはホルダ内に収容され、工具本体の所定位置に配置された状態で、押込ピンの先端部に接触する後端部が押し込まれることにより、金属スリーブ内に侵入する。
【０００４】
なお、特許文献１には、フラットハーネスに切れ目を入れて、フラット導体同士を接触させた状態でフラットハーネスを接続する工具が記載されている。
【先行技術文献】
【特許文献】
【０００５】
【特許文献１】特開２００４−８７３２２号公報
【考案の概要】
【考案が解決しようとする課題】
【０００６】
しかしながら、中ピンのないホルダを工具本体の所定位置に配置した状態で、押込ピンを押し込む空打ちを、作業者が誤って行うことがある。空打ちは、また、中ピンを収容したホルダを傾けるなどの不適切な状態で工具本体に配置した状態で、押込ピンを押し込んだ場合にも発生する。
【０００７】
このような空打ちを行った場合、従来のケーブル接続工具では、金属スリーブ内に挿通されたケーブルが金属スリーブの内面と押込ピンの先端部の外周面と間に挟まれて、芯線が損傷することがある。このように芯線が損傷を受けた場合、損傷を受けた部分を切除したうえで、再度、ケーブルの接続を行うことが正常な作業である。
【０００８】
しかし、芯線が損傷を受けた状態のケーブルを誤ってそのまま接続する作業者がいた。この場合、ケーブルが接続された状態において、芯線が損傷を受けた部分は金属スリーブ内に位置し、外観から損傷を認識することができない。このとき、ケーブルが断線する、又は、長時間経過後ケーブルが断線することがあるという問題があった。
【０００９】
本考案は、以上の点に鑑み、例え空打ちを行っても、芯線に損傷を与えるおそれがないケーブル接続工具を提供することを目的とする。
【課題を解決するための手段】
【００１０】
本考案は、複数本のケーブルを挿通した金属スリーブ内に中ピンを圧入することにより、ケーブル同士の導通を図るケーブル接続工具であって、前記金属スリーブが配置されるスリーブ配置部と、前記中ピンが配置される中ピン配置部と、先端部が前記中ピンの後端部と接触する押込ピンと、前記押込ピンを前方に移動させることにより、前記中ピン配置部に配置された前記中ピンを前記スリーブ配置部に配置された前記金属スリーブ内に押し込むピン押込機構とを備え、前記ピン押込機構により前記押込ピンを前方に移動させたとき、前記押込ピンの先端部と前記金属スリーブとの間に、前記ケーブルの芯線の直径以上の隙間が存在することを特徴とする。
【００１１】
本考案によれば、ピン押込機構により押込ピンを前方に移動して、金属スリーブ内に中ピンを押し込んだとき、押込ピンの先端部と金属スリーブとの間に、ケーブルの芯線の直径以上の隙間が存在する。そのため、空打ちして、ピン押込機構により押込ピンを押し込んでも、押込ピンの先端部と金属スリーブとの間にはケーブルの芯線の直径以上の隙間が存在するので、芯線が損傷するおそれがない。
【００１２】
本考案において、前記押込ピンの前記先端部は段差を有する形状であることが好ましい。
【００１３】
この場合、押込ピンの先端部の加工が容易である。ただし、押込ピンの先端部の形状は段差を有するものに限定されない。
【図面の簡単な説明】
【００１４】
【図１】本考案の実施形態に係るケーブル接続工具の上面図。
【図２】スリーブ、中ピンを配置した状態におけるケーブル接続工具の先端部付近を示す拡大上面図。
【図３Ａ】スリーブ、中ピン及び押込ピンの関係を示す模式図であり、スリーブに中ピンを圧入する前の状態を示す。
【図３Ｂ】スリーブ、中ピン及び押込ピンの関係を示す模式図であり、スリーブに中ピンを圧入した状態を示す。
【考案を実施するための形態】
【００１５】
本考案の実施形態に係るケーブル接続工具１００について図１及び図２を参照して説明する。
【００１６】
ケーブル接続工具１００は、複数本、特に２本又は３本の通信ケーブルなどのケーブル１同士の導通を図った状態で接続する工具である。複数本のケーブル１が挿通されたスリーブ２内に中ピン３が圧入されることにより、ケーブル１の絶縁被膜が部分的に除去されて芯線が露出し、金属スリーブ２ａ又は中ピン３とケーブル１の芯線、あるいは芯線同士が接触することにより、芯線間の導通を図った状態で、ケーブル１，１同士が接続される。
【００１７】
ケーブル接続工具１００は、スリーブ配置部１０、中ピン配置部２０、押込ピン３０、ピン押込機構４０、及びこれらの構成品１０〜４０が配置される工具本体５０を備えている。ケーブル接続工具１００は、これらの構成品１０〜５０を含めた主要部品が金属などの硬質材料からなっている。
【００１８】
スリーブ配置部１０は、スリーブ２が配置される部分である。スリーブ２は、図３Ａ及び図３Ｂを参照して、スリーブ本体である金属スリーブ２ａと、金属スリーブ２ａの外表面を被覆する絶縁被膜２ｂとから構成されている。
【００１９】
金属スリーブ２ａは、円筒形状であり、その内周外端面には、面取り加工が施されている。絶縁被膜２ｂは、ポリエチレン（ＰＥ）、ポリ塩化ビニル（ＰＶＣ）、ＰＥＦ（ポリエチレンフォーム）などの絶縁性の樹脂からなっている。スリーブ配置部１０は、スリーブ２の外周面形状に倣った、円筒形の一部外周面状の窪み部となっている。
【００２０】
なお、スリーブ配置部１０に配置されたスリーブ２を固定するために、工具本体５０にスライドレバー５１が設けられている。スリーブ２をスリーブ配置部１０に配置した状態でスライドレバー５１を押し込むことにより、スリーブ２がスリーブ配置部１０の所定位置に固定される。
【００２１】
中ピン配置部２０は、中ピン３が配置される部分である。中ピン３は、金属製のくさび状のテーパピンであり、その外周表面には山形リング状の溝が全面に亘って形成されている。
【００２２】
中ピン３は、ここでは、樹脂製のホルダ４に１個ずつ収容されており、このホルダ４が複数個連接されてベルト状に構成されている。そして、ホルダ４には、その中に中ピン３が存在するか否かを作業者が目視可能なように、窓４ａが設けられている。
【００２３】
なお、中ピン３が中ピン配置部２０の所定位置に配置されるように、工具本体５０に位置決めピン５２が備わっている。位置決めピン５２は、ここでは、工具本体５０から２本突設されており、ホルダ４が中ピン配置部２０の所定位置に配置されたとき、ホルダ４間の隙間を挿通するように配置されている。
【００２４】
また、工具本体５０の先端部には、ケーブルガイド５３が設けられている。ケーブルガイド５３の幅方向中央部は下方に窪んであり、この窪みでケーブル１を支持することにより、ケーブル１がスリーブ２内を挿通した状態を安定的に維持することができる。なお、ケーブルガイド５３は前方に引き出し可能に構成されており、ケーブル１が長い場合は、ケーブルガイド５３を図１の二点鎖線に示すように前方に引き出すことにより、ケーブル１をより安定的に支持することが可能となる。
【００２５】
押込ピン３０は、中ピン配置部２０に配置された中ピン３を、スリーブ配置部１０に配置されたスリーブ２内に圧入するためのピンである。押込ピン３０の先端が中ピン３の後端と当接しており、押込ピン３０を前方に移動させることにより、中ピン３を前方に押し込む。
【００２６】
押込ピン３０は、スリーブ２内の所定位置まで中ピン３を押し込み可能に構成されている。この所定位置は、中ピン３の後端が金属スリーブ２ａの後端から所定の距離、例えば数ｍｍ程度内部に入り込んだ位置である。そこで、押込ピン３０の先端部は、最も前方に移動したとき、中ピン３をこの所定位置に押し込むことが可能な最大押込位置に位置する。
【００２７】
押込ピン３０の先端部３１は、この最大押込位置に位置するときに、金属スリーブ２ａと押込ピン３０との隙間にケーブル１が介在していてもケーブル１の芯線に傷が付かないように、ケーブル１の芯線の直径以上の隙間が金属スリーブ２ａの内周面との間に存在するように構成されている。
【００２８】
ここでは、押込ピン３０の先端部３１は段差を有しており、先端部３１は押込ピン３０の本体部３２に対して同軸であるが小径となっている。例えば、本体部３２の外径は３．８ｍｍであり、先端部３１の直径は１．８ｍｍであり、長さは２．５ｍｍである。そして、例えば、金属スリーブ２ａの内径は４．０ｍｍであり、ケーブル１の芯線の直径は０．９ｍｍ、絶縁被膜の厚さは０．３５ｍｍである。
【００２９】
ただし、押込ピン３０の先端部３１の形状は、前記隙間を有するように構成されていれば前述のように段差を有するものに限定されない。例えば、押込ピン３０の先端部３１は、先端部３１から後方に向けて徐々に拡径するテーパ状、特に等比級数的に拡径しているものであってもよい。また、先端部３１の後方に徐々に拡径するテーパ状部を有していてもよい。
【００３０】
なお、中ピン３がスリーブ２内に押し込まれたとき、スリーブ２と中ピン３との間の特定の方向の隙間にケーブル１が介在するので、中ピン３と押込ピン３０との中心軸線は一致せず、中ピン３はスリーブ２の内周面と接触することになる。
【００３１】
ピン押込機構４０は、押込ピン３０を前方に押し込むことが可能な機構である。ここでは、ピン押込機構４０は、先端部がそれぞれ工具本体５０に対して回動自在に接続された一対の把持部４１，４１と、一端部が各把持部４１の中間部にそれぞれ回動自在に接続され、他端部が連結軸４２に回動自在に接続された一対の連結杆４３，４３と、連結軸４２に後端部が固定され、先端部に押込ピン３０の後端部が固定された押込杆４４とから構成されている。
【００３２】
一対の把持部４１，４１は、それぞれ樹脂などからなり、手の掌に馴染む湾曲形状に形成されたるレバー４５，４５が後部に装着されている。そして、各把持部４１の先端部は、互いに左右方向に離間して工具本体５０に設けられた連結軸５４に対して回動自在に連結されている。
【００３３】
各把持部４１の中間部には連結軸４６が設けられており、この連結軸４６に、それぞれ連結杆４３の一端部が回動自在に連結されている。そして、これら連結杆４３，４３の連結軸４６に連結されていない側の他端部が、１つの連結軸４２によって、それぞれ回動自在に連結されている。
【００３４】
そして、この連結軸４２は、先端部に押込ピン３０の後端部が固定された押込杆４４の後端部に固定されている。押込ピン３０及び押込杆４４の前部は、工具本体５０に形成された貫通孔５５内を挿通している。
【００３５】
このように構成されたピン押込機構４０においては、把持部４１，４１が開いた状態にあるときは、これら把持部４１，４１の中間部に連結された連結杆４３，４３が左右方向に開き、押込杆４４が後方に引いた状態であり、押込杆４４の先端部に固定された押込ピン３０は工具本体５０の貫通孔５５内に引っ込んだ状態である。
【００３６】
一方、把持部４１，４１が閉じた状態にあるときは、これら把持部４１，４１の中間部に連結された連結杆４３，４３が前後方向に閉じ、押込杆４４が前方に押し込んだ状態であり、押込杆４４の先端部に固定された押込ピン３０が前方に移動して最大押込位置に位置する状態である。
【００３７】
次に、ケーブル接続工具１００を用いてケーブル１，１同士を接続する手順について説明する。
【００３８】
まず、作業者は、スリーブ配置部１０の所定位置にスリーブ２を配置すると共に、中ピン配置部２０の所定位置に中ピン３が中に収容されたホルダ４を配置する。この状態では、把持部４１，４１は開いた状態にあり、押込ピン３０は工具本体５０の貫通孔５５内に引っ込んでいる。
【００３９】
次に、作業者は、図３Ａを参照して、複数本、図面では２本の接続すべきケーブル１，１をスリーブ２内に挿通させる。そして、作業者は、この状態で、スライドレバー５１を押し込み、スリーブ２を固定させる。
【００４０】
次に、作業者は、上述した状態を保ちながら、把持部４１，４１を閉じる。このとき、把持部４１，４１を最大限まで閉じ、押込ピン３０を最大押込位置まで押し込む。この押込ピン３０の押し込みにより、図３Ｂを参照して、ケーブル１，１が挿通されたスリーブ２内の所定位置まで中ピン３が押し込められる。このとき、金属スリーブ２ａの内周面と中ピン３の外周面の溝との間に挟まれたケーブル１，１の絶縁被膜が部分的に除去され、芯線が露出し、芯線間の導通が図られた状態で、ケーブル１，１同士が接続される。
【００４１】
その後、作業者は、把持部４１，４１を開き、スライドレバー５１を引き戻した後、ケーブル１，１同士を接続した状態で中ピン３が内部に圧入されたスリーブ２をスリーブ配置部１０から取り外す。そして、スリーブ２の外部に露出した余分なケーブル１，１の部分を切断する。
【００４２】
ところで、作業者が、誤って、中ピン配置部２０の所定位置に中ピン３が中に収容されていないホルダ４を配置した状態で、把持部４１，４１を閉じて、空打ちを行うことがある。また、作業者が、誤って、中ピン配置部２０にホルダ４を不適切に配置した状態で、把持部４１，４１を閉じて、空打ちを行うことがある。
【００４３】
これら空打ちを行った場合も、押込ピン３０は最大押込位置まで押し込まれる。このとき、押込ピン３０の先端部３１と金属スリーブ２ａとの間に、ケーブル１の芯線の直径以上の隙間が存在するので、芯線が損傷するおそれがない。なお、この場合、芯線が圧縮力を受けて変形することはあり得るが、断線が生じる、又は長時間経過後に断線が生じるまでの大きな損傷は受けない。
【００４４】
以上、本考案の実施形態について図面を参照して説明したが、本考案はこれに限定されない。
【００４５】
例えば、実施形態では、ピン押込機構４０は、把持部４１，４１の開閉によって押込ピン３０を進退入する機構であるが、これに限定されない。
【符号の説明】
【００４６】
１…ケーブル、  ２…スリーブ、  ２ａ…金属スリーブ、  ２ｂ…絶縁被膜、  ３…中ピン、  ４…ホルダ、  ４ａ…窓、  １０…スリーブ配置部、  ２０…中ピン配置部、  ３０…押込ピン、  ３１…先端部、  ３２…本体部、  ４０…ピン押込機構、  ４１…把持部、  ４２…連結軸、  ４３…連結杆、  ４４…押込杆、  ４５…レバー、  ４６…連結軸、  ５０…工具本体、  ５１…スライドレバー、  ５２…位置決めピン、  ５３…ケーブルガイド、  ５４…連結軸、  ５５…貫通孔、  １００…ケーブル接続工具。
【図１】
0003206473.tif 000003
【図２】
0003206473.tif 000004
【図３Ａ】
0003206473.tif 000005
【図３Ｂ】
0003206473.tif 000006